【事件の表示】
　特許第３３２５１４１号「記録用シート」の請求項１ないし８に係る特許に対する特許異議の申立てについて、次のとおり決定する。
【結　論】
　訂正を認める。
　特許第３３２５１４１号の請求項１ないし３に係る特許を維持する。
【理　由】
１．手続の経緯
　特許第３３２５１４１号の請求項１ないし８に係る発明は、平成６年１２月２０日に出願され、平成１４年７月５日にその特許の設定登録がなされた。
　本件特許公報は、平成１４年９月１７日に発行され、その請求項１ないし８に係る特許に対して、原田智弘（以下、「申立人１」という。）及びコニカ株式会社（以下、「申立人２」という。）よりそれぞれ特許異議の申立てがなされ、取消理由通知がなされ、その指定期間内に意見書が提出されると共に、訂正請求がなされた。
　
２．訂正の適否についての判断
２．１　訂正の内容
　特許権者が求める訂正の内容は、平成１５年１０月７日付け訂正請求書及び添付された全文訂正明細書の記載からみて、次のとおりのものと認める。
　訂正事項ａ
　特許請求の範囲の記載を、
「【請求項１】　白色顔料を含有するポリオレフィン被覆層を紙もしくは白色プラスチックフィルムの表面に備えた不透明支持体及びその白色顔料含有ポリオレフィン被覆層上に設けられた色材受容層からなる記録用のシートであって、該白色顔料含有ポリオレフィン被覆層の表面が７０％以上の光沢度を有し、かつ該色材受容層が、平均１次粒子径が１０ｎｍ以下のシリカ粒子と水溶性樹脂からなり、該シリカ粒子と水溶性樹脂との重量比が１．５：１〜１０：１の範囲にある層であって、さらに該色材受容層上の光沢度が５０％以上であることを特徴とする記録用シート。
　【請求項２】　インクジェット記録用シートである請求項１に記載の記録用シート。
　【請求項３】　請求項１に記載の記録用シートの表面に、インクジェットプリンタを用いて水性インクを付与することを特徴とする画像形成方法。」と訂正する。
　訂正事項ｂ
　明細書の段落【００１１】の記載を、
「【００１１】【課題を解決するための手段】上記目的は、白色顔料を含有するポリオレフィン被覆層を紙もしくは白色プラスチックフィルムの表面に備えた不透明支持体及びその白色顔料含有ポリオレフィン被覆層上に設けられた色材受容層からなる記録用のシートであって、該白色顔料含有ポリオレフィン被覆層の表面が７０％以上の光沢度を有し、かつ該色材受容層が、平均１次粒子径が１０ｎｍ以下のシリカ粒子と水溶性樹脂からなり、該シリカ粒子と水溶性樹脂との重量比が１．５：１〜１０：１の範囲にある層であって、さらに該色材受容層上の光沢度が５０％以上であることを特徴とする記録用シートによって達成することができる。」と訂正する。
　訂正事項ｃ
　明細書の段落【００１３】の記載を、
「【００１３】本発明の記録用シートの好ましい態様は下記のとおりである。
１）上記不透明支持体が、銀塩写真に使用される支持体である。
２）上記色材受容層が、空隙率５０〜８０％を有する。
３）上記平均１次粒子径が、１０ｎｍ未満（好ましくは３〜９ｎｍ）である。
４）上記色材受容層が、５〜３０ｎｍの平均直径を有する細孔を有する。
５）上記シリカ微粒子が、表面に１ｎｍ２当たり２〜３個のシラノール基を有する無水珪酸である。
６）上記記録用シートがインクジェット用である。」と訂正する。
　訂正事項ｄ
　明細書の段落【００１５】の記載を、
「【００１５】本発明の記録用シートは、例えば下記のようにして製造することができる。基体シートとしては、アート紙、コート紙、キャストコート紙、銀塩写真用支持体等に使用されるバライタ紙等の高光沢の紙；ポリエチレンテレフタレート（ＰＥＴ）等のポリエステル類、ニトロセルロース、セルロースアセテート及びセルロースアセテートブチレート等のセルロースエステル類、更にポリスルホン、ポリフェニレンオキサイド、ポリイミド、ポリカーボネート、ポリアミド等のプラスチックフィルムで、このフィルムに白色顔料等を含有させて不透明化した高光沢の（表面カレンダー処理等を行なって）フィルムなどを挙げることができる。」と訂正する。
　訂正事項ｅ
　明細書の段落【００１６】の記載を、
「【００１６】銀塩写真用支持体として使用されている、上記バライタ紙、ポリオレフィンコート紙（ポリオレフィンの被覆層が設けられた支持体の一種）は、本発明で好適に使用することができる。本発明の不透明支持体は、紙、白色プラスチックフィルムなどの基体シートの色材受容層の設けられる側の表面に、白色顔料を含有するポリオレフィンの被覆層が形成され支持体を用いる。白色顔料としては、二酸化チタン、炭酸カルシウム及び酸化亜鉛を挙げることができる。好ましくは二酸化チタンである。さらに着色顔料、蛍光増白剤、酸化防止剤等を添加しても良い。」と訂正する。
　訂正事項ｆ
　明細書の段落【００１７】の記載を、
「【００１７】本発明の不透明支持体あるいは基体シートの好ましい例としては、ａ）ポリオレフィンコート紙、ｂ）ポリオレフィンコート・プラスチックフィルムを挙げることができる。
ａ）ポリオレフィンコート紙としては、紙とその表面に設けられたポリオレフィンからなる被覆層からなるもので、例えば特開平４−１４９４３２号公報に記載の原紙をサイズプレス処理し、その表面に設けられた酸化チタンを含有するポリエチレン層からなる銀塩写真用支持体を挙げることができる。ポリオレフィンコート紙に使用される紙は、特に限定はなくどのようなものでも使用することができる。例えば、天然パルプを主原料として、填料、サイズ剤、紙力増強剤等を添加して、抄紙することにより得ることができる。こうして得られた原紙の表面にポリオレフィンを押し出しコーティング（例えば、ポリオレフィン用の押し出し機とラミネーターを使用）により被覆することによってポリオレフィンコート紙を製造することができる。ポリオレフィン樹脂としては、高密度ポリエチレン、低密度ポリエチレン、ポリプロピレン等の重合体及びこれらの混合物を挙げることができる。高密度ポリエチレン、低密度ポリエチレン及びこれらの混合物が好ましい。これらのポリオレフィンの分子量は２００００〜２０００００が好ましい。ポリオレフィン樹脂層の層厚は１５〜５０μｍが好ましい。ポリオレフィン樹脂中には、白色顔料、着色顔料、蛍光増白剤、酸化防止剤等を添加しても良い。
ｂ）ポリオレフィンコート・プラスチックフィルムとしては、白色プラスチックフィルムとその表面に設けられたポリオレフィンからなる被覆層からなるもので、例えば特開平３−２１４３４３号公報記載の炭酸カルシウム含有ポリエステルフィルムの表面に、一方に高密度ポリエチレン層、もう一方に酸化チタンを含む低密度ポリエチレン層を設けた銀塩写真用支持体を挙げることができる。上記ポリオレフィンコート・プラスチックフィルムのプラスチックフィルムは白色プラスチックフィルムで、そのポリマー材料としてポリエチレンテレフタレート等のポリエステル樹脂、ポリスチレン、ポリ塩化ビニルが好ましく、特にポリエステルが好ましい。白色プラスチックフィルムは、例えば、上記ポリマーに無機顔料を含有させ、延伸によりボイド（微細な気泡）を形成させることにより（特開平３−７６７２７号公報）、あるいはポリエステル樹脂中にポリスチレン等の他のポリマーを混合してボイド（微細な気泡）を形成させることにより（特公昭５４−２９５５０号公報）作成することができる。そしてポリオレフィンコートは上記ａ）と同様にして形成することができる。」と訂正する。
　訂正事項ｇ
　明細書の段落【００１８】の記載を、
「【００１８】これらの中で、特にａ）が好ましい。本発明の不透明透明支持体は、７０％以上の光沢度を有するが、８０％以上が好ましい。不透明透明支持体の厚さは、特に制限はないが、５０〜２００μｍのものが取り扱い易く好ましい。」と訂正する。
　訂正事項ｈ
　明細書の段落【００４２】〜【００４８】の記載を削除する。
　訂正事項ｉ
　明細書の段落【００４９】〜【００５３】の段落番号を、それぞれ、【００４２】〜【００４６】と訂正する。
　訂正事項ｊ
　明細書の段落【００５４】の段落番号を、【００４７】と訂正し、表１中の、実施例３に関する行を削除する。
　訂正事項ｋ
　明細書の段落【００５５】の段落番号を、【００４８】と訂正する。
　
２．２　訂正の目的の適否、新規事項の有無及び拡張・変更の存否
　訂正事項ａは、訂正前の請求項２、３及び５で規定していた限定事項を取り込んで訂正後の請求項１とすることで、請求項１に係る発明の包含する範囲を狭めるとともに、請求項２〜６を削除し、更に、請求項の削除に合わせて訂正前の請求項７、８の項番号を整理するものであるから、特許請求の範囲の減縮を目的とする訂正に該当する。
　訂正事項ｂないしｈは、訂正事項ａによる訂正の結果生じた、請求項１に係る発明の構成と、発明の詳細な説明における記載との不整合を正すための訂正であるから、明りょうでない記載の釈明を目的とする訂正に該当する。
　訂正事項ｉ、ｋは、訂正事項ｂないしｈによって生じた段落番号の欠番を訂正するものであるから、明りょうでない記載の釈明を目的とする訂正に該当する。
　訂正事項ｊは、訂正事項ａによる訂正の結果生じた、請求項１に係る発明の構成と、発明の詳細な説明における記載との不整合を正すとともに、訂正事項ｂないしｈによって生じた段落番号の欠番を訂正するものであるから、明りょうでない記載の釈明を目的とする訂正に該当する。
　そして、訂正事項ａないしｋは、いずれも、願書に添付した明細書の記載の範囲内においてなされたものであって、かつ実質的に特許請求の範囲を拡張又は変更するものではない。
　
２．３　むすび
　以上のとおりであるから、上記訂正請求は、特許法等の一部を改正する法律（平成６年法律１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
　
３．　特許異議の申立てについての判断
３．１　本件の請求項１ないし３に係る発明
　上記２．で示したように訂正が認められるから、本件の請求項１ないし３に係る発明（以下、「本件発明１ないし３」という。）は、訂正明細書の特許請求の範囲の請求項１ないし３に記載された事項により特定されるとおりのものである（上記、訂正事項ａ参照）。
　
３．２　申立ての理由の概要及び当審での取消理由通知
（１）申立人１は、甲第１ないし７号証を提出して、訂正前の請求項１ないし８に係る発明は、甲第１号証に記載された発明に対して、甲第２ないし７号証に記載された発明を適用することにより当業者が容易に発明をすることができたものであるから、特許法第２９条第２項の規定により特許を受けることができないものであること、及び、
本件特許明細書は記載が不備のため、特許法第３６条第４項並びに第５項第１号及び第２号に規定する要件を満たしていないこと、
を理由として特許を取り消すべき旨主張する。
（２）申立人２は、甲第１ないし９号証及び参考資料１，２を提出して、訂正前の請求項１、２、５ないし８に係る発明は、甲第１号証に記載された発明に対して、甲第２ないし９号証に記載された発明を適用することによって当業者が容易に発明をすることができたものであるから、特許法第２９条第２項の規定により特許を受けることができないものであること、及び、
本件特許明細書は記載が不備のため、特許法第３６条第４項に規定する要件を満たしていないこと、
を理由として特許を取り消すべき旨主張する。
（３）当審では、請求項１ないし８に係る発明は、下記の刊行物１ないし７に記載された発明に基づいて当業者が容易に発明をすることができたものであり、同じく、刊行物１、５、８ないし１４に記載された発明に基づいて当業者が容易に発明をすることができたものであるから、特許法第２９条第２項の規定により特許を受けることができないものであること、及び、本件明細書には、申立人１の主張するとおり、記載が明確でない箇所があり、明細書の記載が不備のため、特許法第３６条に規定する要件を満たしていないこと、を理由として取消理由を通知した。
　
３．３　証拠方法
　申立人１（原田智弘）提出分
甲第１号証　特開平６−９２０１１号公報（以下、「刊行物１」という）
甲第２号証　特開平４−２３４７５５号公報（以下、「刊行物２」という）
甲第３号証　特開平６−１４３８００号公報（以下、「刊行物３」という）
甲第４号証　特開平６−１５５８９２号公報（以下、「刊行物４」という）
甲第５号証　特開平６−２９７８３０号公報（以下、「刊行物５」という）
甲第６号証　特開平６−１８８２８７号公報（以下、「刊行物６」という）
甲第７号証　特開昭６０−２０４３９０号公報（以下、「刊行物７」という）
　申立人２（コニカ株式会社）提出分
甲第１号証　特開平６−９２０１１号公報（「刊行物１」に同じ）
甲第２号証　特開平５−１２７３１０号公報（以下、「刊行物８」という）
甲第３号証　特開平５−１２７３１１号公報（以下、「刊行物９」という）
甲第４号証　特開平６−３７６９号公報（以下、「刊行物１０」という）
甲第５号証　ＪＩＳ　Ｐ−８１４２（以下、「刊行物１１」という）
甲第６号証　特開平６−２９７８３０号公報（「刊行物５」に同じ）
甲第７号証　特公平３−５６５５２号公報（以下、「刊行物１２」という）
甲第８号証　特開昭５８−３７６４２号公報（以下、「刊行物１３」という）
甲第９号証　特開平２−１１３９８６号公報（以下、「刊行物１４」という）
参考資料１　ＪＩＳ　Ｂ−０６０１
参考資料２　日本アエロジル社カタログ「ＡＥＲＯＳＩＬ」改訂版(15)９８．８
　
３．４　刊行物に記載された発明
  上記各刊行物には、次の事項が記載されている。（なお、［　］内は、各刊行物における、対応する用語を示す。）
　刊行物１には、
ａ．支持体の少なくとも一方の面にインク受容層を設けたインクジェット記録用シートにおいて、インク受容層がカチオン変性された非球状のコロイド状シリカを含有するものであり（請求項１）、支持体が、紙の少なくとも一方の面が樹脂で被覆された樹脂被覆紙であり（請求項５）、被覆用の樹脂がポリオレフィン樹脂（請求項７）、特には、ポリエチレン系樹脂である（請求項８）インクジェット記録用シートに関する発明が開示され、
ｂ．発明の第１の目的として、インクジェット記録を行った場合に、インクの乾燥性が早く、かつ光沢が非常に高い、優れたインクジェット記録用シートを提供すること（【００１０】）にあること、
ｃ．本発明におけるインク受容層中にはインクの乾燥性、インク受容層の皮膜物性、光沢、画像の鮮鋭性等を向上させる目的で各種のポリマーを含有せしめてもよい。それらのポリマーの具体例としては、・・・・各種ケン化度の通常のポリビニルアルコール、カルボキシ変性、カチオン変性及び両性のポリビニルアルコール及びそれらの誘導体、・・・・をあげることができ、これらを単独あるいは併用して含有せしめることができる。これらのポリマーの使用量としては、前記目的に合致させてカチオン変性させた非球状のコロイド状シリカの固形分１００重量部に対して、２重量部〜１００重量部の範囲が有用であるが、５重量部〜３０重量部の範囲が好ましい。」（【００１６】）、
ｄ．樹脂で被覆した紙支持体の樹脂層中には、酸化チタン、酸化亜鉛、タルク、炭酸カルシウム等の白色顔料を添加することができる（【００３１】）こと、
ｅ．具体例として、パルプを抄紙して得た基紙の表面に、低密度ポリエチレン樹脂、含水酸化アルミニウムで表面処理したアナターゼ型二酸化チタン顔料、ステアリン酸亜鉛からなる二酸化チタン顔料のマスターバッチ、低密度ポリエチレン樹脂、高密度ポリエチレン樹脂からなる樹脂組成物を溶融押し出しコーティングして鏡面に加工し（【００３５】、【００３６】）、さらにその表面上にポリビニルアルコール５％水溶液１６．６重量部と、コロイド状シリカ４．５重量部を含有する塗層を設けインクジェットインク受容層を形成したこと、コロイド状シリカとしては、球状のもの、カチオン変性された球状のもの、針状のもの、カチオン変性された針状のものを使用したこと（【００３８】）、
ｆ．具体例で得られたインクジェット記録用シートの評価の一環として、受容層の画像部及び非画像部の光沢を目視で判定し（【００４０】）、コロイド状シリカとして、カチオン変性された針状のコロイド状シリカを使用したものは光沢が優れていたこと（【表１】）、
ｇ．用いられるカチオン変性された非球状のコロイド状シリカは、非球状のコロイド状シリカの表面を含水金属酸化物で被覆してカチオン変性したものであり、・・・・、針状あるいは繊維状のものが好ましく用いられること、その大きさとしては、長さ方向として数μｍ〜５００μｍ程度の大きさのものが好ましいこと（【００１２】）、
が記載されている。
　刊行物２、８、９、１０、１３には、
ｈ．白色顔料を含有するポリオレフィン被覆層を紙もしくは合成紙の表面に備えた不透明支持体（刊行物２、８、９、１０、１３）であって、該白色顔料含有ポリオレフィン被覆層の表面が７０％以上の光沢度を有する（刊行物２、８、９、１０）銀塩写真印画紙用支持体が記載されている。
　刊行物３には、
ｉ．白色顔料［無機質微粉顔料］を含有するポリオレフィン被覆層をプラスチックフィルムの表面に備えた不透明支持体及びその白色顔料含有ポリオレフィン被覆層上に設けられた色材受容層［インク受容層］からなる記録用のシートであって（【０００９】〜【００１１】）、該色材受容層が、非晶質微粉シリカ粒子と水溶性樹脂［水系接着剤］からなり、該シリカ粒子と水溶性樹脂との重量比が５０〜８０：１０〜３０の範囲（請求項１、実施例１、２）にある記録用シートが記載され、非晶質微粉シリカ粒子は、２次粒子が１〜６μのものが最も優れている（【００１４】）ことが記載されている。
　刊行物４には
ｊ．キャストコート紙上に色材受容層［皮膜］を設けた記録用シート［記録用紙］であって、該キャストコート紙の表面が８０％以上の光沢度を有し、該色材受容層が、ポリビニルアルコールと架橋剤からなり（請求項１）、さらに該色材受容層上の光沢度が９０〜９５％である（実施例）記録用シート、
ｋ．「ここにおいて本発明者は、前記要解決課題を効果的に解消してインキジェット記録適性の向上とインキジェット記録後の視感的イメージを高揚するためには、適用するジェット記録紙の表面光沢度が非常に高く、しかもインキ吸収度が良好でなければならないという相反する特性を同時に具備することが必須の要件であるとの見地に立脚して鋭意研究を進めた結果、インキジェット記録方式（ノンインパクト記録方式）に使用する強光沢を有するシート（記録紙）すなわち、支持体として表面光沢度がＪＩＳ　Ｐ−８１４２で８０％以上のキャストコート紙上に水溶性高分子化合物およびその架橋剤を含有する皮膜を形成することにより、強光沢紙として光沢、風合いともに良好なジェット記録紙の得られることを確認し、その表面に常法によりインキジェット記録したところインキジェットの記録適正にすぐれ、しかも記録後における画像の視感的イメージを非常に高揚し得ることを見出し、前記要解決課題を一挙に解決することができた。」（【０００４】）、
ことが記載されている。
　刊行物５には、
ｌ．「【請求項１】　プラスチック基材フイルム上に少くとも一層のインク受容層が設けられている記録シートであって、該インク受容層がカチオン性コロイダルシリカ、アルミナ水和物及び親水性樹脂からなることを特徴とするインクジェット記録方式用の記録シート。
　【請求項２】　カチオン性コロイダルシリカとアルミナ水和物の重量比が９８：２〜３０：７０であり、これらの総量と親水性樹脂の重量比が９８：２〜５０：５０である請求項１記載の記録シート。」（請求項１、２）、
ｍ．「カチオン化コロイダルシリカの粒子径としては、３〜２００ｎｍの範囲にあることが好ましいが、透光性をもたせる場合には３〜５０ｎｍ、特に３〜２０ｎｍの範囲が好ましい。」（【００２３】）、
ｎ．実施例１ないし３には、カチオン化コロイダルシリカとして、平均１次粒子径が８ｎｍのカチオン性コロイダルシリカ（【００３９】）を用いたことが記載され、カチオン性コロイダルシリカと水溶性樹脂の重量比が３：１〜７：１の範囲のもの（表１）が記載されている。
　刊行物６には、
ｏ．パルプ製の原紙上に設けられた色材受容層［インク受容層］を有する記録用のシートであって、該色材受容層が、平均１次粒子径が１２ｎｍのシリカ粒子と水溶性樹脂からなり、該シリカ粒子と水溶性樹脂との重量比が１０：１の範囲にある層である記録用シート（実施例１〜４）が記載されている。
　刊行物７には、
ｐ．支持体上に、平均１次粒子径が１０ｎｍ〜３０ｎｍの合成超微粒子状シリカを含む色材受容層［インク受理層］を設けた記録用シート［インクジェット記録用紙］（請求項１）であって、該色材受容層が、平均１次粒子径が１０ｎｍ以下のシリカ粒子（第２頁右下欄１１行〜第３頁左上欄７行）と水溶性樹脂［水性接着剤］（第３頁左下欄４〜７行）を含有し、該シリカ粒子と水溶性樹脂との重量比が１００：２〜５０の範囲にある（第３頁右下欄１６〜２０行）層である記録用シートが記載され、実施例１には、白色顔料［湿式法合成シリカ及び炭酸カルシウム］を含有する被覆層を紙の表面に備えた不透明支持体［ベース紙］上に、合成超微粒子状シリカ（日本アエロジル社製アエロジル２００）とポリビニルアルコールからなる色材受容層を設けた記録用シートが記載されている。
　刊行物１１には、
ｑ．紙の光沢度の測定に関して、測定光の入射角度によって異なる値となること、入射角７５度では、６０度よりも光沢度が１０数％大きくなることが記載されている。
　刊行物１２には、
ｒ．支持体上に、合成超微粒子状シリカを含む色材受容層［インク受理層］を設けた記録用シート［インクジェット記録用紙］（請求項１）であって、該色材受容層が、シリカ粒子と水溶性樹脂［水性接着剤］（第３頁左下欄４〜７行）を含有し、該シリカ粒子と水溶性樹脂との重量比が１００：２〜５０の範囲にある（第３頁６欄８〜１１行）層である記録用シートが記載され、実施例１には、白色顔料［湿式法合成シリカ及び炭酸カルシウム］を含有する被覆層を紙の表面に備えた不透明支持体［ベース紙］上に、合成超微粒子状シリカ（日本アエロジル社製アエロジル２００）とポリビニルアルコールからなる色材受容層を設けた記録用シートが記載され、比較例５には、実施例１における気相法シリカを１次粒子径が７ｎｍのアエロジル３００に換えた記録用シートが記載され、比較例５の記録用シートはインク吸収速度が遅いことが示されている（表１）
　刊行物１４には、
ｓ．「顔料成分１００部のうちフュームドシリカを４０部以上含有し、顔料に対して８０部以上、２５０部以下のバインダーを含有し、ＨＬＢ値１０〜１５の範囲にある非イオン系界面活性剤を塗料固形分に対して０．１〜２０重量％含有した水性塗料をキャストコーティング法により塗布乾燥してなることを特徴とするインクジェット記録用紙。」（特許請求の範囲）、
ｔ．「本発明はインクジェット記録用紙に関し、詳しくは、インクジェット記録方式に使用する強光沢を有する記録シートにおいて、記録時のインク吸収性が強く、乾燥性に優れ、記録濃度の高いインクジェット記録用紙に関するものである。」（第１頁左下欄１３〜１７行）、
ｕ．「本発明で得たインクジェット記録用紙は、従来の方法で得たものに比べ、高い平滑性と光沢を有し美観に優れているだけでなく、又記録濃度も高い為、カラー写真や多色印刷などに近い高画質のプリントを得ることが出来る。」（第２頁右上欄１２〜１６行）こと、
ｖ．「本発明は、顔料に対して８０部以上のバインダーを含有するものであるが、バインダーの量が多い方が、本発明の効果をより十分発現出来る。バインダーの量としては顔料成分１００部に対し１００部以上がより好ましく、さらに好ましくは、１２０部以上である。顔料に対して８０部以下のバインダーしか含有しない場合は、記録濃度が劣り、また塗布面の光沢性も劣るものとなる。」（第２頁右下欄１３〜２０行）、
ｗ．「［実施例１］・・・・市販上質紙に染料としてフュームドシリカ（日本アエロジル社製、商品名、アエロジル２００）１００部、バインダーとしてＳＢＲ・・・・７０部とカゼイン７０部、・・・・を主成分とする固形分濃度１８％の塗布液をロールコーターで、絶乾１３ｇ／ｍ２塗布し、・・・・塗膜が湿潤状態にある間に１００℃に加熱した鏡面ドラムに圧着して、乾燥し、インクジェット記録用シートを得た。
［実施例２］・・・・市販上質紙に染料としてフュームドシリカ（日本アエロジル社製、商品名、アエロジル２００）８０部、カオリン・・・・２０部、バインダーとしてＳＢＲ・・・・４０部とカゼイン５０部、ポリビニルアルコール・・・・３０部・・・・を主成分とする固形分濃度１８％の塗布液をバーコーターで、乾燥２０ｇ／ｍ２塗布し、・・・・塗膜が湿潤状態にある間に１００℃に加熱した鏡面ドラムに圧着して、乾燥し、インクジェット記録用シートを得た。」（第４頁左下欄３行〜下欄１５行）、
ｘ．実施例１，２により得られたインクジェット記録用シートの色材受容層上の光沢度は、９０％、９２％であったこと（第１表）、
が記載されている。
　参考資料１には、
　表面粗さの定義について解説し、測定方法が記載されている。
　参考資料２には、
　製品名「ＡＥＲＯＳＩＬ　２００」であるシリカについて、その一次粒子の平均粒径が１２ｎｍであることが記載されている。
　
３．５　当審の判断
（１）特許法第２９条第２項について
　刊行物１には、上記（ａ〜ｇ）に指摘するとおり、白色顔料を含有するポリオレフィン被覆層を紙の表面に備えた不透明支持体及びその白色顔料含有ポリオレフィン被覆層上に設けられたインク受容層からなる記録用のシート（ａ，ｄ，ｅ）であって、該インク受容層が、シリカと水溶性樹脂からなり、該シリカと水溶性樹脂との重量比が１００：２〜１００の範囲にある層（ｃ，ｅ）である記録シート、に関する発明が記載され、併せて、白色顔料含有ポリオレフィン被覆層の表面を鏡面にすること（ｅ）、色材受容層に含有するカチオン変性されたシリカを数μｍ〜５００μｍの針状あるいは繊維状のものとすること（ｇ）、色材受容層上の光沢を目視により観察した結果、カチオン変性された針状シリカは良好な結果を得たこと（ｆ）、が記載されていることが認められる。
　刊行物１記載の発明の「インク受容層」は、本件発明１の「色材受容層」に相当するから、本件発明１と、刊行物１に記載された発明とを対比すると、両者は、「白色顔料を含有するポリオレフィン被覆層を紙の表面に備えた不透明支持体及びその白色顔料含有ポリオレフィン被覆層上に設けられた色材受容層からなる記録用のシートであって、該色材受容層が、シリカと水溶性樹脂からなり、該シリカと水溶性樹脂との重量比が１．５：１〜１０：１の範囲にある層である記録シート」である点で一致し、
（１）本件発明１が、「白色顔料含有ポリオレフィン被覆層の表面が７０％以上の光沢度を有すること」を規定するのに対して、
刊行物１には、表面を鏡面にするとしか記載していない点、
（２）本件発明１が、色材受容層に含有するシリカについて、「平均１次粒子径が１０ｎｍ以下の粒子」と規定するのに対して、刊行物１には、長さ方向として数μｍ〜５００μｍの非球状としている点、
（３）本件発明１が、「色材受容層上の光沢度が５０％以上であること」を規定するのに対して、刊行物１には、目視により光沢が良好であったとしている点で相違する。
　まず、相違点（２）について検討する。
　刊行物５には、色材受容層に平均１次粒子径が１０ｎｍ以下のシリカ粒子を含有させること（ｎ）、粒子径が小さいものが透光性が優れていることが記載されているが（ｍ，ｎ）、色材受容層に、シリカ粒子の他にアルミナ水和物を併用するものであって、表面の光沢の程度については何ら記載されていない。
　刊行物７には、平均１次粒子径が１０ｎｍ以下のシリカ粒子を含有させることが記載されているが、実施例に用いられている合成超微粒子状シリカ（日本アエロジル社製アエロジル２００）は参考資料２によれば、平均１次粒子径が１０ｎｍ以上であり、かつ刊行物７には、色材受容層の光沢について何ら記載されていない。
　刊行物１２には、比較例として、平均１次粒子径が１０ｎｍ以下のシリカ粒子を含有させることが記載されているが、表面の光沢については記載されていない。
　そして、刊行物１記載の発明は、光沢を良好にするために、特に、「カチオン変性された非球状（針状、繊維状）のコロイド状シリカ」を用いるものであるから、色材受容層に、平均１次粒子径が１０ｎｍ以下のシリカ粒子を含有させることが刊行物５、７、１２に記載されているとしても、「カチオン変性された非球状のコロイド状シリカ」を、それを含有させた場合の光沢の程度の不明な上記シリカ粒子に置き換えるべき動機が存在しない。
　したがって、刊行物１記載の発明において、色材受容層のシリカを「平均１次粒子径が１０ｎｍ以下の粒子」とすることが当業者に容易になしうるとすることはできない。
　次に、相違点（３）について検討する。
　支持体上に色材受容層を設けたタイプの記録材料であって、色材受容層表面の光沢度について言及しているのは、刊行物４（光沢度９０〜９５％）および刊行物１４（光沢度９０、９２％）のみである。それらはいずれも、光沢度を高くすることによって、得られる画像の視感的イメージや、画像濃度を高くする目的において、本件発明や刊行物１記載の発明と共通するものである。
　しかしながら、刊行物４のインクジェット記録シートにおいては、色材受容層表面の光沢度を向上させるために、色材受容層中には、シリカ等の顔料を含ませないこと（ｊ）を特徴としているものであり、本件発明１の記録シートに比較して、色材受容層のインク吸収能が劣るものと考えられ、支持体として、平滑化処理した原紙を使用し、その上に白色顔料含有ポリオレフィン層を設けていない（ｋ）。
　また、刊行物１４に記載されたインクジェット記録シートは、光沢度を上げるために、インク受容層中のシリカとしてフュームドシリカを使用し、さらにシリカに対する水溶性樹脂の量を本件発明１が規定する量よりも多く使用し、鏡面加工するものであり、しかも、実施例に使用されているアエロジル２００は、参考資料２によれば、本件発明１の規定よりも一次粒子径の大きなシリカ粒子である。
　これらによれば、刊行物１記載の発明と、刊行物４及び刊行物１４に記載された発明とは、その目的とするところは共通するものの、解決手段において異なるから、そこに記載されている表面の光沢度の数値に基いて、水溶性樹脂に対するシリカの割合の多い刊行物１に記載された発明において、表面の光沢度を５０％以上することが、当業者に容易になしうるとすることはできない。
　また、刊行物３には、シリカ粒子と水溶性樹脂を含有するインク受容層は記載されているものの、平均１次粒子径が１０ｎｍ以下のシリカ粒子を用いることも、表面光沢度についても全く記載されていない。
　さらに、刊行物２、８〜１１、１３には、インク受容層を有する記録用シートについては何ら記載されていない。
　そして、本件発明１は、請求項１に特定する構成を選択することにより、インクジェット記録シートのインク受容層が、水溶性樹脂の量に比較して、多量のシリカ粒子を含有させたものであっても、インク吸収性を高度に保ちつつ、優れた光沢度を備えるという、なかば相反する効果について、相互の兼ね合いを満たし、それにより明細書記載の効果を奏することを見出したものである。
　したがって、他の相違点について検討するまでもなく、本件発明１は、刊行物１ないし１４に記載された発明に基づいて当業者が容易に発明をすることができたものとすることはできない。
　本件発明１を引用する本件発明２、３についても同様の理由により、刊行物１ないし１４に記載された発明に基づいて当業者が容易に発明をすることができたものとすることはできない。
　
（２）特許法第３６条について
　申立人１が、本件特許明細書は記載が不備であるとする理由は、概略次のようなものである。
ａ．請求項１記載の「白色顔料を含有するポリオレフィン被覆層を表面に備えた不透明支持体」には、発明の詳細な説明に記載されていないものも含まれる。
ｂ．請求項１記載の「７０％以上の光沢度」は、測定方法が特定されていない。
ｃ．請求項２、４、５、８には、不明りょうな記載がある。
ｄ．発明の詳細な説明には、不明りょうな記載があり、請求項１記載の発明の構成を、当業者が容易に実施しうる程度に記載していない。
　また、申立人２が、本件特許明細書は記載が不備であるとする理由は、概略次のようなものである。
ｅ．請求項１に「白色顔料含有ポリオレフィン被覆層の表面が７０％以上の光沢度を有し」と記載されているが、実施例には表面光沢度８７％以上のものしか記載されておらず、７０％のものが本件発明の効果を有しているか不明りょうである。
　上記主張について検討する。
　ａ、ｃ、ｄの記載不備については、訂正により、不備は解消している。
　ｂ．について検討すると、明細書の段落【００１２】に、
「上記光沢度は、ＪＩＳ　Ｐ−８１４２（紙及び板紙の７５度鏡面光沢度試験方法）に記載の方法に従って測定することにより求められる値である。」との定義が記載されており、請求項１記載の「光沢度」が、ＪＩＳ　Ｐ−８１４２（紙及び板紙の７５度鏡面光沢度試験方法）により測定された値を示していることは明らかである。
　ｅ．について検討すると、本件発明は白色顔料含有ポリオレフィン被覆層の表面光沢度を一定の値以上とすることにより、色材受容層の表面光沢度を
高くしようとするものであり、実施例１、２には、色材受容層の表面光沢度は、ポリオレフィン被覆層の表面光沢度より低く、色材受容層の材料が同じであれば、白色顔料含有ポリオレフィン被覆層の表面光沢度が低い程、色材受容層の表面光沢度が低くなることが示されている。しかし、比較例２にシリカ粒子を含まない場合は、色材受容層の表面光沢度の低下の程度が僅かであることが示されているように、色材受容層の表面光沢度は、ポリオレフィン被覆層の表面光沢度に限らず、色材受容層のシリカ粒子と水溶性樹脂の比率や層厚によっても変わることは明らかである。
　そして、明細書には、「本発明の不透明透明支持体（「不透明支持体」の誤り）は、７０％以上の光沢度を有する」（段落【００１２】）、「色材受容層の層厚は、・・・インクジェット記録の場合の場合は、１０〜５０μｍの範囲が好ましい。このようにして得られる記録用シートの色材受容層上の光沢度も高いものであるが、その光沢度（前記支持体で規定された）は５０％以上であることが好ましく」（段落【００２８】）と記載されており、表面光沢度が７０％の不透明支持体においても、色材受容層のシリカ粒子の比率や層厚を調整して、表面光沢度を５０％とし、本件発明の効果を奏するものとすることができるものと認められる。
　したがって、明細書の記載に不備はない。
　
４．　むすび
　以上のとおりであるから、特許異議申立の理由及び証拠によっては本件請求項１ないし３に係る発明の特許を取り消すことはできない。
　また、他に本件請求項１ないし３に係る発明の特許を取り消すべき理由を発見しない。
　したがって、本件請求項１ないし３に係る発明の特許は、拒絶の査定をしなければならない特許出願に対して付与されたものと認めないから、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年１２月１８日（２００３．１２．１８）
【訂正の要旨】
審決（決定）の【理由】欄参照。
（５４）【発明の名称】
記録用シート
（５７）【特許請求の範囲】
　【請求項１】　白色顔料を含有するポリオレフィン被覆層を紙もしくは白色プラスチックフィルムの表面に備えた不透明支持体及びその白色顔料含有ポリオレフィン被覆層上に設けられた色材受容層からなる記録用のシートであって、該白色顔料含有ポリオレフィン被覆層の表面が７０％以上の光沢度を有し、かつ該色材受容層が、平均１次粒子径が１０ｎｍ以下のシリカ粒子と水溶性樹脂からなり、該シリカ粒子と水溶性樹脂との重量比が１．５：１〜１０：１の範囲にある層であって、さらに該色材受容層上の光沢度が５０％以上であることを特徴とする記録用シート。
　【請求項２】　インクジェット記録用シートである請求項１に記載の記録用シート。
　【請求項３】　請求項１に記載の記録用シートの表面に、インクジェットプリンタを用いて水性インクを付与することを特徴とする画像形成方法。
【発明の詳細な説明】
　【０００１】
　【産業上の利用分野】
　本発明は色材を用いて画像形成するのに適した記録用シートに関するものである。特に、インクジェット記録により高光沢の画像シートを形成するための記録用シートに関する。
　【０００２】
　【従来の技術】
　近年、情報産業の急速な発展に伴い、種々の情報処理システムが開発され、また、それぞれの情報システムに適した記録方法及び装置も開発され、採用されている。このような記録方法の中で、インクジェットあるいはプロッターを用いたインク記録、及び溶融型色材あるいは昇華型色材を用いた感熱転写記録においては、使用する装置が、軽量かつコンパクト化され、騒音もなく、操作性、保守性にも優れたものとなっている。さらに、このような記録方法で使用される装置はカラー化も容易であることから、最近広く使用されている。また、従来の電子写真方式の記録においてもカラー化が進み高解像度でフルカラーのプリンター、複写機が開発され商品化されてきている。
　【０００３】
　インクジェット方式は各種の方式が開発されているが、物性的には大きく分けて水溶性色素を含む色素溶液（水性インク）を用いる方法、及び油溶性色素を含む色素溶液（油性インク）を用いる方法、そして色素を含有した低融点固形ワックス（ワックスインク）を熱溶融させて用いる方法の三種がある。主流は水性インクを使用するタイプである。何れにしても記録用シート上に液状の微粒滴を吐出させて画像を形成する方法である。
　【０００４】
　上記のインクジェット記録においては、精細な画像を得る上で液状インクを早く吸収し、インク滲みやインク溜まりの無いことが要求される。更に、インクジェット記録用シートに画像を形成したハードコピーは、上記の精細な画像を有すると共に光沢度が高いことも要求される。即ち、ハードコピーの理想である銀塩写真を考えた場合、高い光沢度は達成すべき重要な課題である。
　【０００５】
　上記インキ吸収性を改善するために、従来から様々な提案がなされている。例えば、インクジェット記録の場合では、特開昭５５−１４６７８６号公報に色材吸収層に吸水性ポリマーの使用、特開昭５６−８０４８９号公報に溶解性又は膨潤性物質の使用が提案され、また多数のポリマー系（ポリビニルアルコール（ＰＶＡ）、ポリビニルピロリドン（ＰＶＰ）、ポリエチレンオキサイド（ＰＥＯ）、カルボキシメチルセルロース（ＣＭＣ））の使用が提案されている。しかしながら、これらの吸収性材料はポリマーの親水性基あるいは解離性基による水性インクの浸透効果を利用したものであり、このため膜を厚くしても充分なインク吸収速度が得られず、また混色滲みの抑制が不充分であった。
　【０００６】
　また色材受容層を多孔質膜にすることにより毛細管現象でインク吸収させる方法が、特公昭６３−２２９９７号公報、特公昭６３−５６８７６号公報、特公平３−２１３５７号公報、特公平３−４８８６７号公報、特開昭５７−１４０９１号公報、特開昭６０−６１２８６号公報、特開昭６０−２１４９８９号公報、特開昭６１−２２９８３号公報及び特開昭６２−２２７６８４号公報に提案されている。これらの多孔質膜の色材受容層は、インク吸収性については比較的高いものであるが、本発明者の検討によると多孔質膜の孔径が大き過ぎるため光が散乱（回折散乱、ミー散乱）されて光学的透明性が低いことから、記録シートとした場合に高光沢が得られない。
　さらに、色材受容層に多孔質無機顔料を用いる方法が、特開昭５５−１４４１７２号公報、特開昭５６−１４８５８４号公報、特開昭５６−１４８５８５号公報、特開昭６２−２７３８８１号公報、特公平３−２４９０６号公報及び特開昭６０−２４５５８８号公報等に提案されている。これらの多孔質無機顔料からなる色材受容層も、本発明者の検討によると顔料の粒径が大き過ぎるため光散乱が起こり、記録シートとした場合に高光沢が得られない。また一次粒子径１０〜３０ｎｍの気相法シリカを二次凝集させて使用する方法が特公平３−５６５５２号公報に提案されている。しかしながら、本発明者の検討によると、このような屈折率あるいは粒子径のみ規定された多孔質無機顔料を使用した色材受容層では、屈折率が大きいあるいは粒子径が大きいため充分な透明性が得られなかった。
　また、擬ベーマイト系微粒子を用いて微細な空孔を有する色材受容層が形成された記録シートが、特開平２−２７６６７０号公報及び特開平３−２８１３８３号公報に記載されている。これらは、本発明者の検討によると、インク吸収性については良好であるが、屈折率が約１．６５と高い為、充分な透明性が得られなかった。
　【０００７】
　従って、インクジェット記録用シートにおいては、インク吸収性が良好で且つ透明性の高い（即ち、高光沢が得られる）色材受容層は得られていない。
　また上記公報に記載のインクジェット記録用シートの支持体としては、低光沢度（１５％以下）の上質紙、中質紙やプラスチックフィルム等で、不透明で光沢のある支持体を使用するとの記載はなく、これらの公報はインク吸収性を向上させるための手段を開示するものである。
　【０００８】
　従来から、インクジェット記録用シートの支持体としては、上記低光沢度（１５％以下）の上質紙、中質紙に加えて、高光沢のアート紙、コート紙、キャストコート紙、等も使用されている。
　高光沢のインクジェット記録用シートとしては、例えば、特開平６−１５５８９２号公報に、表面光沢度が８０％以上のキャストコート紙の上に架橋されたポリビニルアルコールの皮膜を有する記録用紙が開示されている。しかしながら、このような記録用紙は高い光沢度が得られるが、色材受容層が架橋されたポリビニルアルコールの皮膜では、前述したように充分なインク吸収性が得られない。また、特開平６−１９９０３５号公報には、白色顔料を含む樹脂シート上に色材受容層として擬べーマイト系微粒子を用いて微細な空孔を有する層を設けた記録材が開示されている。しかしながら、この記録材の樹脂シートは光沢度が充分に高くなく、擬べーマイト系微粒子の層は、前述したようにインク吸収性は良好であるが光透過性が充分でないことから、高光沢の記録材とは言えない。
　【０００９】
　【発明が解決しようとする課題】
　本発明者は、特に高品質な（高光沢で鮮鋭さを有する）画像を形成することができるインクジェット記録用シートを得るために種々検討を重ねてきた。その結果、良好なインク吸収性と高い光透過性を示す特定のシリカ微粒子と水溶性樹脂からなる色材受容層を、表面の光沢度が高い不透明支持体上に設けることにより解決できることが判明した。
　【００１０】
　従って、本発明はインクジェット記録、熱転写記録又は電子写真記録により画像シート画像を形成することができる記録用シートであって、鮮鋭な画像を形成することができる記録用シートを提供することを目的とする。
　特に、本発明はインクジェット記録により画像を形成することができるインク吸収性及び光沢度が向上した記録用シートであって、鮮鋭な画像を形成することができる記録用シートを提供することを目的とする。
　【００１１】
　【課題を解決するための手段】
　上記目的は、白色顔料を含有するポリオレフィン被覆層を紙もしくは白色プラスチックフィルムの表面に備えた不透明支持体及びその白色顔料含有ポリオレフィン被覆層上に設けられた色材受容層からなる記録用のシートであって、該白色顔料含有ポリオレフィン被覆層の表面が７０％以上の光沢度を有し、かつ該色材受容層が、平均１次粒子径が１０ｎｍ以下のシリカ粒子と水溶性樹脂からなり、該シリカ粒子と水溶性樹脂との重量比が１．５：１〜１０：１の範囲にある層であって、さらに該色材受容層上の光沢度が５０％以上であることを特徴とする記録用シートによって達成することができる。
　【００１２】
　上記光沢度は、ＪＩＳ　Ｐ−８１４２（紙及び板紙の７５度鏡面光沢度試験方法）に記載の方法に従って測定することにより求められる値である。
　【００１３】
　本発明の記録用シートの好ましい態様は下記のとおりである。
　１）上記不透明支持体が、銀塩写真に使用される支持体である。
　２）上記色材受容層が、空隙率５０〜８０％を有する。
　３）上記平均１次粒子径が、１０ｎｍ未満（好ましくは３〜９ｎｍ）である。
　４）上記色材受容層が、５〜３０ｎｍの平均直径を有する細孔を有する。
　５）上記シリカ微粒子が、表面に１ｎｍ２当たり２〜３個のシラノール基を有する無水珪酸である。
　６）上記記録用シートがインクジェット用である。
　【００１４】
　本発明の記録用シートは、紙などの基体シートの表面に白色顔料を含有するポリオレフィン被覆層を形成した不透明支持体、及び支持体の表面に設けられた色材受容層とからなる基本構成を有する。色材受容層は支持体の両面に設けても良い。
　【００１５】
　本発明の記録用シートは、例えば下記のようにして製造することができる。
　基体シートとしては、アート紙、コート紙、キャストコート紙、銀塩写真用支持体等に使用されるバライタ紙等の高光沢の紙；ポリエチレンテレフタレート（ＰＥＴ）等のポリエステル類、ニトロセルロース、セルロースアセテート及びセルロースアセテートブチレート等のセルロースエステル類、更にポリスルホン、ポリフェニレンオキサイド、ポリイミド、ポリカーボネート、ポリアミド等のプラスチックフィルムで、このフィルムに白色顔料等を含有させて不透明化した高光沢の（表面カレンダー処理等を行なって）フィルムなどを挙げることができる。
　【００１６】
　銀塩写真用支持体として使用されている、上記バライタ紙、ポリオレフィンコート紙（ポリオレフィンの被覆層が設けられた支持体の一種）は、本発明で好適に使用することができる。
　本発明の不透明支持体は、紙、白色プラスチックフィルムなどの基体シートの色材受容層の設けられる側の表面に、白色顔料を含有するポリオレフィンの被覆層が形成され支持体を用いる。白色顔料としては、二酸化チタン、炭酸カルシウム及び酸化亜鉛を挙げることができる。好ましくは二酸化チタンである。さらに着色顔料、蛍光増白剤、酸化防止剤等を添加しても良い。
　【００１７】
　本発明の不透明支持体あるいは基体シートの好ましい例としては、ａ）ポリオレフィンコート紙、ｂ）ポリオレフィンコート・プラスチックフィルムを挙げることができる。
　ａ）ポリオレフィンコート紙としては、紙とその表面に設けられたポリオレフィンからなる被覆層からなるもので、例えば特開平４−１４９４３２号公報に記載の原紙をサイズプレス処理し、その表面に設けられた酸化チタンを含有するポリエチレン層からなる銀塩写真用支持体を挙げることができる。
　ポリオレフィンコート紙に使用される紙は、特に限定はなくどのようなものでも使用することができる。例えば、天然パルプを主原料として、填料、サイズ剤、紙力増強剤等を添加して、抄紙することにより得ることができる。こうして得られた原紙の表面にポリオレフィンを押し出しコーティング（例えば、ポリオレフィン用の押し出し機とラミネーターを使用）により被覆することによってポリオレフィンコート紙を製造することができる。ポリオレフィン樹脂としては、高密度ポリエチレン、低密度ポリエチレン、ポリプロピレン等の重合体及びこれらの混合物を挙げることができる。高密度ポリエチレン、低密度ポリエチレン及びこれらの混合物が好ましい。これらのポリオレフィンの分子量は２００００〜２０００００が好ましい。ポリオレフィン樹脂層の層厚は１５〜５０μｍが好ましい。ポリオレフィン樹脂中には、白色顔料、着色顔料、蛍光増白剤、酸化防止剤等を添加しても良い。
　ｂ）ポリオレフィンコート・プラスチックフィルムとしては、白色プラスチックフィルムとその表面に設けられたポリオレフィンからなる被覆層からなるもので、例えば特開平３−２１４３４３号公報記載の炭酸カルシウム含有ポリエステルフィルムの表面に、一方に高密度ポリエチレン層、もう一方に酸化チタンを含む低密度ポリエチレン層を設けた銀塩写真用支持体を挙げることができる。
　上記ポリオレフィンコート・プラスチックフィルムのプラスチックフィルムは白色プラスチックフィルムで、そのポリマー材料としてポリエチレンテレフタレート等のポリエステル樹脂、ポリスチレン、ポリ塩化ビニルが好ましく、特にポリエステルが好ましい。白色プラスチックフィルムは、例えば、上記ポリマーに無機顔料を含有させ、延伸によりボイド（微細な気泡）を形成させることにより（特開平３−７６７２７号公報）、あるいはポリエステル樹脂中にポリスチレン等の他のポリマーを混合してボイド（微細な気泡）を形成させることにより（特公昭５４−２９５５０号公報）作成することができる。そしてポリオレフィンコートは上記ａ）と同様にして形成することができる。
　【００１８】
　これらの中で、特にａ）が好ましい。
　本発明の不透明透明支持体は、７０％以上の光沢度を有するが、８０％以上が好ましい。
　不透明透明支持体の厚さは、特に制限はないが、５０〜２００μｍのものが取り扱い易く好ましい。
　【００１９】
　本発明の色材受容層は下記のように形成することができる。
　シリカ微粒子等の無機微粒子をバインダーに分散した塗布液を、不透明支持体の白色顔料含有ポリオレフィン被覆層の表面に塗布、乾燥することにより、色材受容層を形成することができる。
　色材受容層のバインダーとしては、水溶性樹脂を使用することが好ましい。水溶性樹脂の例としては、親水性構造単位としてヒドロキシル基を有する樹脂として、ポリビニルアルコール（ＰＶＡ）、セルロース系樹脂（メチルセルロース（ＭＣ）、エチルセルロース（ＥＣ）、ヒドロキシエチルセルロース（ＨＥＣ）、カルボキシメチルセルロース（ＣＭＣ）等）、キチン類及びデンプンを；エーテル結合を有する樹脂としてポリエチレンオキサイド（ＰＥＯ）、ポリプロピレンオキサイド（ＰＰＯ）、ポリエチレングリコール（ＰＥＧ）及びポリビニルエーテル（ＰＶＥ）を；そしてアミド基またはアミド結合を有する樹脂としてポリアクリルアミド（ＰＡＡＭ）およびポリビニルピロリドン（ＰＶＰ）を挙げることができる。また、解離性基としてカルボキシル基を有するポリアクリル酸塩、マレイン酸樹脂、アルギン酸塩及びゼラチン類を；スルホン基を有するポリスチレンスルホン酸塩、アミノ基、イミノ基、第３アミン及び第４アンモニウム塩を有するポリアリルアミン（ＰＡＡ）、ポリエチレンイミン（ＰＥＩ）、エポキシ化ポリアミド（ＥＰＡｍ）、ポリビニルピリジン及びゼラチン類を挙げることができる。
　【００２０】
　本発明では、無機微粒子として平均一次粒子径が１０ｎｍ以下（好ましくは３〜９ｎｍ）シリカ微粒子が使用される。さらにその屈折率が約１．４５のシリカ微粒子が好ましい。
　【００２１】
　シリカ粒子は、表面のシラノール基による水素結合により粒子同士が付着やすい為、上記のように平均一次粒子径が１０ｎｍ以下の場合に於いて空隙率の大きい構造を形成することができるので、このような粒径を有するシリカを用いることが好ましく、これによりインク受容性及び透明性が格段に向上する。
　シリカ粒子は製造法により湿式法と乾式法に大別される。湿式法はケイ酸塩の酸分解により活性シリカを生成し、これを適度に重合させ凝集沈降させ含水シリカを得る方法が主流である。一方の乾式法シリカは、ハロゲン化珪素の高温気相加水分解による方法（火炎加水分解法）、ケイ砂とコークスを電気炉中でアークにより加熱還元気化し、これを空気で酸化する方法（アーク法）で無水シリカを得る方法が主流である。これらの含水シリカ及び無水シリカは表面のシラノール基の密度、空孔の有無等の相違があり異なった性質を示すが、無水珪酸（無水シリカ）の場合に特に空隙率が高い三次元構造を形成し易く好ましい。この理由は明確ではないが、表面のシラノール基の密度が含水シリカの場合は、５〜８個／ｎｍ２と多く粒子が密に凝集（アグリゲート）し易く、一方の無水シリカの場合は２〜３個／ｎｍ２と少ない為、粗な軟凝集（フロキュレート）となり空隙率が高い構造になると推定される。
　【００２２】
　無機微粒子としては、上記シリカ微粒子以外に、コロイダルシリカ、珪酸カルシウム、ゼオライト、カオリナイト、ハロイサイト、白雲母、タルク、炭酸カルシウム、硫酸カルシウム、ベーマイト等を併用しても良い。
　【００２３】
　この色材受容層を主として構成するシリカ微粒子や水溶性樹脂は、それぞれ単一素材でも良いし複数の素材の混合系でもよい。また色材受容層は主として上記シリカ微粒子と水溶性樹脂からなるがそれ以外に粒子の分散性を高める為に各種の無機塩類、ＰＨ調整剤として酸アルカリを含んでいてもよい。また塗布適性や表面品質を高める目的で各種の界面活性剤を使用してもよい。表面の摩擦帯電や剥離帯電を抑制する為、あるいは電子写真法に於いて表面電気抵抗を調整する為にイオン導電性を持つ界面活性剤や電子導電性を持つ金属酸化物微粒子を含んでいてもよい。またインクジェット記録に於いて色素を固定し耐水性を高める目的で媒染剤を使用してもよい。また表面の摩擦特性を低減する目的で各種のマット剤を含んでいてもよい。また色材の劣化を抑制する目的で各種の酸化防止剤、紫外線吸収剤を含んでいてもよい。
　【００２４】
　上記色材受容層の形成は、例えば、上記樹脂、無機微粒子等を含む水溶液又は水分散液（塗布液）を不透明支持体の白色顔料含有ポリオレフィン被覆層の上に塗布、加熱乾燥することにより実施することができる。塗布は、例えばエアードクターコーター、ブレッドコーター、ロッドコーター、ナイフコーター、スクイズコーター、リバースロールコーター、バーコーター等の公知の塗布方法で行なうことができる。
　乾燥は、一般に、５０〜１８０℃で０．５〜３０分間行なわれる。熱風乾燥機により比較的低温で（好ましくは、５０〜９０℃（風速３〜８ｍ／秒））で０．５〜３分間乾燥した後、更に比較的高温（好ましくは、１２０〜１８０℃で５〜２０分間）で乾燥することが、特に膜厚が厚い時の塗布前の色材受容層の乾燥時のワレ防止の点から好ましい。
　また、塗布、乾燥後、例えばスーパーカレンダー、グロスカレンダー等で加熱、加圧下にロールニップ間を通すことにより、表面平滑性、透明性及び塗膜強度を向上させることが可能である。しかしながら、このような処理は空隙率を低下させるため（即ちインク吸収性が低下するため）、空隙率の低下が少ない条件を設定して行なう必要がある。
　【００２５】
　色材受容層の特に透明性を向上させる（屈折率を下げる）ためには、微細な空隙を多数形成することが必要であり、そのためにはシリカ微粒子に組み合わせる樹脂の種類が重要であり、無水シリカの場合は、特に低鹸化度（好ましくは鹸化度７０〜９０％）ＰＶＡが光透過性の点で好適である。ＰＶＡは、繰返し単位に水酸基を有するが、この水酸基とシリカ粒子表面のシラノール基が水素結合を形成して、シリカ粒子の二次粒子を鎖単位とする三次元網目構造を形成し易くすると考えられる。これにより、空隙率の高い構造の色材受容層が得られると考えられる。これにより、透明性の高い色材受容層が得られる。
　【００２６】
　上記色材受容層（多数の空隙を有する透明膜）は、シリカ微粒子と水溶性樹脂の比率（ＰＢ比：水溶性樹脂の重量１に対する無機微粒子の重量）は膜構造にも大きな影響を与える。ＰＢ比が大きくなると空隙率、細孔容積、表面積（単位重量当たり）が大きくなる。１０を超えた場合は、膜強度、乾燥時のひび割れに対する効果が無く、１．５未満では空隙が樹脂で塞がれ空隙率が減少して屈折率が高くなる。この為、ＰＢ比は１．５〜１０の範囲が好適である。特にＯＨＰフイルムのように手で直接触る場合は充分な膜強度を得る必要があり、ＰＢ比は５以下が特に好ましく、またインクジェットプリンターで高速インク吸収性を得る為にはＰＢ比は２以上が特に好ましく、従ってＰＢ比は２〜５の範囲がさらに好適である。
　例えば、上述のような平均一次粒子径が１０ｎｍ以下の無水シリカと水溶性樹脂をＰＢ比が２〜５で水溶液中に完全に分散し塗布乾燥した場合、シリカ粒子の二次粒子を鎖単位とする三次元網目構造が形成され、平均細孔が３０ｎｍ以下、空隙率が５０％以上、細孔比容積０．５ｍｌ／ｇ以上、比表面積が１００ｍ２／ｇ以上の透光性の多孔質膜を容易に形成することができる。
　【００２７】
　上記多数の空隙を有する透明膜（色材受容層）は、例えば下記のようにして支持体上に設けることができる。
　上記色材受容層形成用塗布液は、平均一次粒子径１０ｎｍ以下のシリカ微粒子を、水中に添加して（例、１０〜１５重量％）、高速回転湿式コロイドミル（例、クレアミックス（エム・テクニック（株）製））を用いて、例えば１００００ｒｐｍ（通常は５０００〜２００００ｒｐｍ）の高速回転の条件で２０分間（通常は１０〜３０分間）分散させた後、ポリビニルアルコール水溶液（例、シリカの１／３程度の重量のＰＶＡとなるように）を加えて更に、上記と同じ条件で分散を行なうことにより得ることができる。このようにして得られた塗布液は、均一ゾルであり、これを用いて下記の塗布方法により、支持体上に塗布層を形成することにより、三次元網目構造を有する色材受容層を得ることができる。なお、色材受容層の形成に際しては、上記均一ゾルの塗布液を支持体上に塗布した後乾燥することにより、溶媒である水を蒸発させる。この蒸発により塗布膜がゲル化濃度に達した時点でウエットゲルが形成され、更に、乾燥が進行することにより多孔質キセロゲルが形成され、上記多数の空隙を有する透明膜を得ることができる。
　【００２８】
　上記多数の空隙を有する透明膜である色材受容層は、特にインク受容性及び透明性に優れている。
　インクジェット記録において、毛細管現象によって急速にインクを吸収し且つインクニジミやインク溜まりの無い精細な記録が可能であるばかりでなく、感熱記録における色材、そして電子写真記録におけるトナーを強固に接着できる。この理由は、色材やトナーが多孔質層の細孔内にもぐり込み、その結果として三次元網目構造に起因する形状的なアンカー効果により色材等を強固に固定する為である。
　色材受容層の層厚は、インクジェット記録の場合は液滴を全て吸収するだけの吸収容量をもつ必要があり、これは、塗膜の空隙率との関連で決定する必要がある。例えばインク量が８ｎｌ／ｍｍ２の場合で、空隙率が６０％であれば約１５μｍ以上の膜が必要となる。インクジェット記録の場合の場合は、１０〜５０μｍの範囲が好ましい。
　このようにして得られる記録用シートの色材受容層上の光沢度も高いものであるが、その光沢度（前記支持体で規定された）は５０％以上であることが好ましく、特に６０％以上であることが好ましい。
　【００２９】
　【実施例】
　【００３０】
［実施例１］
（１）不透明支持体の作製
　ＬＢＰＫ７０重量部とＮＢＳＰ３０重量部の混合パルプをダブルディスクリファイナーによりカナディアンフリーネス３００ｍｌに叩解し、このパルプスラリーに下記の材料を添加した後、抄紙して乾燥し、坪量１８０ｇ／ｍ２の原紙を得た。
　【００３１】
　　パルプ　　　　　　　　　　　　　　　１００重量部
　　エポキシ化ベヘン酸アミド　　　　　　　　０．３重量部
　　アルキルケテンダイマー　　　　　　　　　０．４重量部
　　カチオンスターチ　　　　　　　　　　　　１．０重量部
　　ポリアミドポリアミンエピクロルヒドリン　０．２重量部
　　カチオン性ポリアクリルアミド　　　　　　０．５重量部
　【００３２】
　得られた原紙に、下記の組成のサイズ剤（水溶液）をサイジングプレス処理により、３０ｇ／ｍ２含浸付着させた。
　　ポリビニルアルコール　　　　　　　　　　４重量部
　　γ−アミノプロピルトリエトキシシラン　　０．０５重量部
　　蛍光増白剤　　　　　　　　　　　　　　　０．６重量部
　　消泡剤　　　　　　　　　　　　　　　　　０．００５重量部
　【００３３】
　次いで、得られたサイズ剤付着紙を、ソフトカレンダーにより厚さ２００μｍとなるようにカレンダー処理し、次いでマシンカレンダーによりカレンダ処理して厚さを１７５μｍに調整した。その後原紙の裏面（ワイヤー面）にコロナ放電処理し、密度０．９８ｇ／ｃｍ３のポリエチレンを２５μｍの厚さにコーティングし、おもて面（フェルト面）にはコロナ放電処理した後、１０重量％の酸化チタンを含有する密度０．９４ｇ／ｃｍ３のポリエチレンを３０μｍの厚さにコーティングして、不透明支持体を得た。
　【００３４】
（２）色材受容層形成用塗布液の組成
　　乾式シリカ微粒子（平均１次粒子径：７ｎｍ；屈折率：１．４５；エアロジルＡ３００（日本アエロジル（株）製））
　　　　　　　　　　　　　　　　　　　　　　　　　　　　　　　１０重量部
　　ポリビニルアルコール（鹸化度７８％；重合度４５００；ＰＶＡ４４０（クラレ（株）製））
　　　　　　　　　　　　　　　　　　　　　　　　　　　　　　３．３重量部
　　
　　イオン交換水　　　　　　　　　　　　　　　　　　　　　　１３６重量部
　乾式シリカ微粒子を、イオン交換水（７３．３重量部）に添加して、高速回転湿式コロイドミル（クレアミックス（エム・テクニック（株）製））を用いて、１００００ｒｐｍの条件で２０分間分散させた後、ポリビニルアルコール水溶液（イオン交換水の残り６２．７重量部に溶解させたもの）を加えて、更に上記と同じ条件で分散を行ない、アンモニア水でｐＨを９．２に調整して、色材受容層形成用塗布液を得た。
　【００３５】
　上記塗布液を、前記不透明支持体のおもて面（酸化チタン含有ポリエチレン層上）に、エアーナイフコーターを用いて塗布し、熱風乾燥機により７０℃（風速５ｍ／秒）で１分間乾燥した後、更に１００℃で１０分間乾燥した。これにより乾燥膜厚が３０μｍの色材受容層を形成した。
　【００３６】
　上記のようにして、不透明支持体に色材受容層が設けられた記録用シートを得た。
　【００３７】
　［実施例２］
　実施例１において、前記不透明支持体として下記の支持体を使用した以外は実施例１と同様にして記録用シートを作製した。
　【００３８】
　（１）不透明支持体の作製
　平均粒径０．９μｍの炭酸カルシウムを１５重量％含有したポリエステル樹脂（ＰＥＴ）を二軸延伸し、密度０．９ｇ／ｃｍ３、ＳＲａ０．１７μｍの白色ポリエステルフィルムに得た。この白色ポリエステルフィルムの両面に、酸化錫を５０重量％混練したポリエステル樹脂の溶剤溶液を固形分で０．３ｇ／ｍ２塗布、乾燥した後、表面電気抵抗を５×１０８〜５×１０９Ωの帯電防止層を形成した。
　【００３９】
　このフィルムの両面にコロナ放電処理を行なった後、溶融押出機を用いて高密度ポリエチレン（密度０．９６０ｇ／ｃｍ３、ＭＩ＝１３ｇ／１０分）を樹脂厚３０μｍで溶融押出しして、一方の帯電防止層上をポリエチレンの樹脂層で被覆した（この面を裏面と呼ぶ）。
　次に、樹脂層を設けなかったもう一方の帯電防止層上に、溶融押出機を用いてアナターゼ型二酸化チタン１５重量％及び微量の群青を含有した低密度ポリエチレン（密度０．９２３ｇ／ｃｍ３、ＭＩ＝７ｇ／１０分）を樹脂厚３２μｍで溶融押出しして、光沢面を有する樹脂層で被覆した（この面をおもて面と呼ぶ）。
　【００４０】
　裏面の高密度ポリエチレン樹脂層面をコロナ放電処理した後、帯電防止剤として酸化アルミニウム（アルミナゾール−１００、日産化学工業（株）製）及び二酸化珪素（スノーテックス−０、日産化学工業（株）製）を重量比で１／２（アルミナゾール−１００／スノーテックス−０）で水に分散して、乾燥後の重量で０．２ｇ／ｍ２となるように塗布した。
　【００４１】
　上記のようにして、不透明支持体を得た。
　【００４２】
　［比較例１］
　実施例１において、不透明支持体としてＰＰＣ用紙（電子写真用普通紙）を用いた以外は実施例１と同様にして記録用シートを作製した。
　【００４３】
　［比較例２］
　不透明支持体として市販のキャストコート紙（商品名：マリエスト、北越製紙（株）製；光沢度８０〜８８％、米坪２１０〜２５０ｇ／ｍ２）を用い、この上に下記の組成の塗布液を乾燥後の塗布量が５ｇ／ｍ２となるように塗布、乾燥した。
（２）色材受容層形成用塗布液の組成
　　ポリビニルアルコール（鹸化度７８〜８１％ＰＶＡ４２０（クラレ（株）製））
　　　　　　　　　　　　　　　　　　　　　　　　　　　　　　　　７重量部
　　水　　　　　　　　　　　　　　　　　　　　　　　　　　　　３０重量部
　【００４４】
　上記のようにして、不透明支持体に色材受容層が設けられた記録用シートを得た。
　【００４５】
　上記で得られた記録用シートについて、以下の測定方法によってそのインクジェット適性を評価した。
（１）インク吸収速度
　インクジェットプリンター（ＰＩＸＥＬ　ＪＥＴ；キャノン（株）製）により、記録用シートへの黒のべタ印字直後（約１０秒後）に紙を接触押圧し、インクの紙への転写の有無で下記のように判定した。
　　ＡＡ：紙にインキが転写されなかった。
　　ＣＣ：紙にインキが転写された。
（２）画像の鮮鋭さ上記と同一のプリンターを用いて、記録用シートに印刷された画像を目視により、画像の鮮鋭さ（画像のシャープさ）を評価した。
　　ＡＡ：鮮鋭さ良好
　　ＢＢ：鮮鋭さ可
　　ＣＣ：鮮鋭さ不良
　【００４６】
　実施例及び比較例の不透明支持体及び記録用シートの光沢度を下記の用に測定した。
（３）光沢度上記実施例及び比較例で得られた不透明支持体及び記録用シートについて、ＪＩＳ　Ｐ−８１４２（紙及び板紙の７５度鏡面光沢度試験方法）に記載の方法に従って、光沢度を測定した。即ち、それぞれ試験片を６枚作成し、光沢度計（デジタル変角光沢計、スガ試験機（株）製）を用いて測定した。得られた測定値の平均値を光沢度とした。
　【００４７】
　【表１】
　【００４８】
　【発明の効果】
　本発明の記録用シートは、高い光沢度を有する不透明支持体上に特定のシリカ微粒子と水溶性バインダーからなる色材受容層が設けられている。これにより、優れたインク受容性を確保しながら、表面の光沢度も高いことから、インクジェット記録等により色材受容層上に形成される画像は鮮鋭なものである。
　特に、写真印画紙用支持体などに使用されるポリオレフィンコートを支持体に使用して、上記色材受容層を設けることにより極めて高い光沢感のある鮮鋭な画像を形成することができる。